(57)【要約】【課題】歯ブラシを把持した手を左右に反転させることなく、臼歯の内側面、外側面及び頂部を同時に磨くことができる犬用歯ブラシを提供することにある。【解決手段】歯ブラシ本体１１の先端部に植毛されたブラシ部１２を有し、基端部に把持部１３を有した犬用歯ブラシ１０において、ブラシ部１２は、歯ブラシ本体１１の長手方向に沿って少なくとも三列のブラシ毛を有し、両側ブラシ毛１４は、犬の臼歯の内側面及び外側面に接触し、中央ブラシ毛１５は臼歯の頂部に接触して、同時に磨くことができる構成であり、前記両側ブラシ毛１４の毛先１４ａは、互いに接近する方向に湾曲していることを特徴とする。【選択図】  図１
2005151882.tif 000002
【特許請求の範囲】
【請求項１】
歯ブラシ本体の先端部に植毛されたブラシ部を有し、基端部に把持部を有した犬用歯ブラシにおいて、
前記ブラシ部は、前記歯ブラシ本体の長手方向に沿って少なくとも三列のブラシ毛を有し、両側ブラシ毛は、犬の臼歯の内側面及び外側面に接触し、中央ブラシ毛は臼歯の頂部に接触して、同時に磨くことができる構成であり、前記両側ブラシ毛の毛先は、互いに接近する方向に湾曲していることを特徴とする犬用歯ブラシ。
【請求項２】
前記把持部は、犬を象った形状であり、その上面部及び下面部には人間の複数の指先と係合する係合凹部が設けられていることを特徴とする請求項１に記載の犬用歯ブラシ。
【請求項３】
前記把持部は、犬を象った形状であり、その上面部及び下面部には人間の複数の指先と係合する係合凹部が設けられているとともに、前記把持部の端末部には犬の前歯用ブラシ部を有していることを特徴とする請求項１に記載の犬用歯ブラシ。
【発明の詳細な説明】
【技術分野】
【０００１】
この発明は、飼主が犬の臼歯及び前歯を磨くことができる犬用歯ブラシに関する。
【背景技術】
【０００２】
昨今の少子化、高齢化の影響で、兄弟の無い一人っ子や高齢者の単身住まいの増加に伴い、都会の孤独な生活の中で暖かいふれあいが欲しい、ストレスを癒したいといったニーズの増大がペットブームの大きな背景になっている。
【０００３】
ペットの中でも犬が最も多く、飼主は、犬の散歩、毛の手入れを行って犬に対する愛情を注ぐと共に、飼主自身の健康増進を図っている。また、ペットブームに伴ってドッグフードの需要も多く、犬の栄養バランスを考えて多種多様なフードが市販されている。
【０００４】
従って、人間と同様に、犬の歯も歯垢や歯石が蓄積され、歯肉炎を起こして口臭が発生するという問題がある。そこで、従来においては、人間が使用する歯ブラシと基本的には同一の形状で、柄の部分を若干長くし、ブラシ部を大きくした犬用歯ブラシが市販されている。この犬用歯ブラシは、飼主または獣医が犬の頭部を人間の腕で脇の下に抱え込むようにして犬の頭部を押え、歯ブラシに犬用歯磨きペーストを付けて臼歯や前歯を磨いている。
【発明の開示】
【発明が解決しようとする課題】
【０００５】
しかしながら、従来の犬用歯ブラシは、柄の先端部に真直ぐなブラシ毛を植毛しただけの構造である。従って、例えば、臼歯を磨く場合、上歯、下歯に拘わらず、臼歯の内側面と外側面を磨くときにはブラシの柄の部分を左右に反転させたり、傾けながら前後に往復運動させる必要があり、また、臼歯の頂部を磨く場合には、ブラシの柄を上下に反転させながら前後にスライドさせる必要がある。
【０００６】
このため、歯ブラシを持った手指が疲労するという問題があり、また、犬は歯磨き中、静止していることは稀であり、嫌がって動くために、短時間に臼歯を満遍なく磨くことは困難であり、あやして犬の機嫌をとりながら歯磨きしているのが実情である。
【０００７】
この発明は、前記事情に着目してなされたもので、その目的とするところは、歯ブラシを把持した手を左右に反転させることなく、臼歯の内側面、外側面及び頂部を同時に磨くことができ、しかも把持しやすく、手指の疲労を軽減できる犬用歯ブラシを提供することにある。
【課題を解決するための手段】
【０００８】
この発明は、前記目的を解決するために、請求項１は、歯ブラシ本体の先端部に植毛されたブラシ部を有し、基端部に把持部を有した犬用歯ブラシにおいて、前記ブラシ部は、前記歯ブラシ本体の長手方向に沿って少なくとも三列のブラシ毛を有し、両側ブラシ毛は、犬の臼歯の内側面及び外側面に接触し、中央ブラシ毛は臼歯の頂部に接触して、同時に磨くことができる構成であり、前記両側ブラシ毛の毛先は、互いに接近する方向に湾曲していることを特徴とする。
【０００９】
請求項２は、請求項１の前記把持部は、犬を象った形状であり、その上面部及び下面部には人間の複数の指先と係合する係合凹部が設けられていることを特徴とする。
【００１０】
請求項３は、請求項１の前記把持部は、犬を象った形状であり、その上面部及び下面部には人間の複数の指先と係合する係合凹部が設けられているとともに、前記把持部の端末部には犬の前歯用ブラシ部を有していることを特徴とする。
【発明の効果】
【００１１】
この発明によれば、歯ブラシ本体の長手方向に沿って少なくとも三列のブラシ毛を有し、両側ブラシ毛は、犬の臼歯を挟んでその内側面及び外側面に接触し、中央ブラシ毛は臼歯の頂部に接触して、同時に磨くことができる構成であり、歯ブラシを把持した手を左右に反転させることなく、臼歯の内側面、外側面及び頂部を同時に磨くことができる。しかも、両側ブラシ毛の毛先は、互いに接近する方向に湾曲しているため、隅々まで磨けるとともに、把持しやすく、手指の疲労を軽減できるという効果がある。
【発明を実施するための最良の形態】
【００１２】
以下、この発明の実施の形態を図面に基づいて説明する。
【００１３】
図１〜図４は一実施形態を示し、図１は犬用歯ブラシを示し、（ａ）は側面図、（ｂ）は平面図、図２はブラシ部を示し、（ａ）は側面図、（ｂ）は正面図、（ｃ）は臼歯を磨いている状態の正面図、図３は上歯を磨いている状態の斜視図、図４は下歯を磨いている状態の斜視図である。
【００１４】
図１〜図４に示すように、犬用歯ブラシ１０は、例えば、合成樹脂材料からなる棒状の歯ブラシ本体１１の先端部には植毛されたブラシ部１２が設けられ、基端部には把持部１３が設けられている。ブラシ部１２は、歯ブラシ本体１１の長手方向に沿って少なくとも三列のブラシ毛を有し、両側ブラシ毛１４は、犬の臼歯Ａの内側面Ａ１（舌側）及び外側面Ａ２（頬側）に接触し、中央ブラシ毛１５は臼歯Ａの頂部Ａ３に接触して、同時に磨くことができる構成である。
【００１５】
すなわち、歯ブラシ本体１１の先端部における前面には三列に植毛穴１６が設けられ、これら植毛穴１６には合成繊維からなるブラシ毛１７を複数本ずつ引き揃えた状態に垂直に植毛されている。そして、両側ブラシ毛１４の毛先１４ａは、例えば加熱手段によって両側ブラシ毛１４の毛先１４ａが互いに接近する方向に湾曲されている。また、中央ブラシ毛１５は真直ぐなブラシ毛１７で、両側ブラシ毛１４の長さの略半分の長さである。
【００１６】
また、把持部１３は、犬を象った形状であり、その上面部１８における犬の頭部に位置する箇所には第１の係合凹部２１が設けられている。把持部１３の下面部１９のおける犬の口先部に位置する箇所、喉部に位置する箇所、腹部に位置する箇所及び尻部に位置する箇所には、順番に第２の係合凹部２２、第３の係合凹部２３、第４の係合凹部２４、第５の係合凹部２５が設けられている。
【００１７】
そして、歯ブラシ本体１１のブラシ部１２を下向きにした状態（犬の下歯を磨く場合）において、把持部１３を人間が把持したとき、第１の係合凹部２１または上面部１８に親指ａ、第２の係合凹部２２に小指ｂ、第３の係合凹部２３に薬指ｃ、第４の係合凹部２４に中指ｄ、第５の係合凹部２５に人差指ｅのそれぞれ指先が係合するようになっている。
【００１８】
なお、歯ブラシ本体１１のブラシ部１２を上向きにした状態（犬の上歯を磨く場合）において、把持部１３を人間が把持したとき、第１の係合凹部２１に小指ｂ、第３の係合凹部２３に親指ａ、第５の係合凹部２５に人差指ｅのそれぞれ指先が係合し、薬指ｃ及び中指ｄは、上面部１８における犬の背中に位置する箇所に押し当てることができるようになっている。
【００１９】
さらに、把持部１３における犬の尾の部分は斜め上方に向かって湾曲した突出部２０が設けられ、この突出部２０には犬の前歯用ブラシ部２６が設けられている。この前歯用ブラシ部２６は、ブラシ部１２と同様に植毛穴に合成繊維からなるブラシ毛を複数本ずつ引き揃えた状態に垂直に植毛したものである。
【００２０】
また、歯ブラシ本体１１の柄の部分にはブラシ部１２から１ｃｍ間隔に目盛２７が付されている。この目盛２７は犬の口腔に挿入した歯ブラシ本体１１の挿入深さが判るようにしたものである。従って、犬の種類、大きさによって口腔の深さ、臼歯の位置も異なるが、目盛２７を観ることによってブラシ部１２の位置を判断できる。
【００２１】
前述のように構成された犬用歯ブラシ１０によれば、飼主または獣医が犬の頭部を人間の腕で脇の下に抱え込むようにして犬の頭部を押え、犬用歯ブラシ１０のブラシ部１２に犬用歯磨きペーストを付ける。そして、歯ブラシ本体１１の把持部１３を把持してブラシ部１２を臼歯Ａに押し当てると、ブラシ部１２は、三列のブラシ毛を有し、両側ブラシ毛１４は、犬の臼歯Ａの内側面Ａ１及び外側面Ａ２に接触し、中央ブラシ毛１５は臼歯Ａの頂部Ａ３に接触する。さらに、両側ブラシ毛１４の毛先１４ａが互いに接近する方向に湾曲しているため、毛先１４ａが歯頚部Ｂ部に接触する。
【００２２】
従って、把持部１３を把持した手で前後方向に往復運動させると、ブラシ部１２が臼歯Ａの内側面Ａ１、外側面Ａ２、頂部Ａ３及び歯頚部Ｂ部を同時に磨くことができる。このとき、犬用歯ブラシ１０を把持した手を左右に反転させることなく、前後方向に往復運動させるだけで、臼歯Ａを隅々まで満遍なく磨くことができる。また、前歯においては、前歯用ブラシ部２６に犬用歯磨きペーストを付け、把持部１３を把持して前歯用ブラシ部２６を前歯に押し当て、上下動させることにより、磨くことができる。
【００２３】
従って、飼主が愛犬の歯を容易に短時間に磨くことができ、犬の歯垢や歯石を除去でき、歯肉炎を起こして口臭が発生するという問題を解消できる。
【００２４】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００２５】
【図１】この発明の一実施形態の犬用歯ブラシを示し、（ａ）は下歯を磨いている状態の側面図、（ｂ）は上歯を磨いている状態の側面図。
【図２】同実施形態のブラシ部を示し、（ａ）は側面図、（ｂ）は正面図、（ｃ）は臼歯を磨いている状態の正面図。
【図３】同実施形態を示し、上歯を磨いている状態の斜視図。
【図４】同実施形態を示し、下歯を磨いている状態の斜視図。
【符号の説明】
【００２６】
１０…犬用歯ブラシ、１１…歯ブラシ本体、１２…ブラシ部、１３…把持部、１４…両側ブラシ毛、１５…中央ブラシ毛
【図１】
2005151882.tif 000003
【図２】
2005151882.tif 000004
【図３】
2005151882.tif 000005
【図４】
2005151882.tif 000006